(57)【要約】【課題】ＵＶ照射手段の電力消費エネルギを大幅に抑えたり、ＵＶ照射手段の小型軽量化及び簡易化を図ったり、ＵＶ照射手段の点灯時におけるオゾン発生を無くしたり可能なＵＶインク使用のインクジェットプリンタを提供する。【解決手段】インクジェットプリンタのインクジェットヘッドから噴射されてプラテン上に搭載されたプリントメディア表面に着弾したＵＶインク滴に紫外線を照射して、そのインク滴を硬化させるＵＶ照射手段に、点灯時における待ち時間がなく、点灯時にオゾンを発生させない、電力消費エネルギの少ない、ＵＶＬＥＤ又はＵＶＬＥＤのアレイユニットを用いる。【選択図】        図１
2004358769.tif 000002
【特許請求の範囲】
【請求項１】
プラテン上に搭載されたプリントメディアの上方をプラテン表面とほぼ平行なＸ−Ｙ方向に相対的に移動させるインクジェットヘッドから噴射されてプリントメディア表面に着弾したＵＶインク滴に紫外線を照射して、そのＵＶインク滴を硬化させ、そのプリントメディア表面に複数のＵＶインクのドットの配列からなる絵図又は／及び文字をプリントするインクジェットプリンタにおいて、
前記プリントメディア表面に着弾したＵＶインク滴に紫外線を照射するＵＶ照射手段に、ＵＶＬＥＤ又はＵＶＬＥＤのアレイユニットが用いられたことを特徴とするＵＶインク使用のインクジェットプリンタ。
【請求項２】
前記ＵＶＬＥＤ又はＵＶＬＥＤのアレイユニットからなるＵＶ照射手段が、インクジェットヘッドと一体に、プラテン上に搭載されたプリントメディア上方をＸ−Ｙ方向に相対的に移動するように構成されたことを特徴とする請求項１記載のＵＶインク使用のインクジェットプリンタ。
【請求項３】
前記ＵＶＬＥＤ又はＵＶＬＥＤのアレイユニットからなるＵＶ照射手段が、インクジェットヘッドとは別体に、プラテン上に搭載されたプリントメディア上方をＸ−Ｙ方向に相対的に移動するように構成されたことを特徴とする請求項１記載のＵＶインク使用のインクジェットプリンタ。
【請求項４】
前記ＵＶ照射手段のＵＶＬＥＤ又はＵＶＬＥＤのアレイユニットに投入する電流量を増減制御する制御手段が設けられて、その制御手段により、ＵＶＬＥＤ又はＵＶＬＥＤのアレイユニットの紫外線発光のタイミング並びにＵＶＬＥＤ又はＵＶＬＥＤのアレイユニットの紫外線発光強度及び紫外線発光時間が調整されるように構成されたことを特徴とする請求項１、２又は３記載のＵＶインク使用のインクジェットプリンタ。
【発明の詳細な説明】
【０００１】
【発明の属する技術分野】
本発明は、インクジェットヘッドから紫外線硬化型のＵＶ（紫外線）インク滴を噴射させるタイプの、ＵＶインク使用のインクジェットプリンタに関する。
【０００２】
【従来の技術】
図４に示したような、プラテン２０上に搭載されたプリントメディア５０の上方をプラテン２０表面とほぼ平行なＸ−Ｙ（縦横）方向に相対的に移動させるインクジェットヘッド３０下面に並ぶノズル３２から前記プリントメディア５０表面に向けて紫外線硬化型のＵＶインク滴を噴射させるインクジェットプリンタが、周知である。
このプリンタにおいては、そのインクジェットヘッド３０から噴射させてプリントメディア５０表面に着弾させたＵＶインク滴に紫外線を照射して、そのＵＶインク滴を硬化させるための、ＵＶ照射手段（図示せず）が備えられている。そして、そのＵＶ照射手段により、プリントメディア５０表面に着弾させたＵＶインク滴に紫外線を照射して、そのＵＶインク滴を素早く乾燥、硬化させている。そして、そのプリントメディア５０表面に着弾させたＵＶインク滴が、その着弾箇所周囲のプリントメディア５０に広く浸透して、そのプリントメディア５０表面に径の大きいぼやけたインクのドットが形成されるのを、防いでいる。
このＵＶ照射手段が備えられたインクジェットプリンタによれば、そのプリントメディア５０表面に着弾させたＵＶインク滴がその着弾箇所周囲のプリントメディア５０に広く浸透するのを防いで、そのプリントメディア５０表面に、小径の複数のインクのドットの配列からなる、滲みのないシャープで鮮明な絵図又は／及び文字をプリントできる。
【０００３】
【発明が解決しようとする課題】
しかしながら、上記従来のＵＶインク使用のインクジェットプリンタにおいては、そのＵＶ照射手段の紫外線発光体に、大きな収容容積を必要とする大型の高圧水銀灯やメタルハライドランプが専ら用いられていた。
そのために、その大型の紫外線発光体が収容されたＵＶ照射手段が、大型のものとなってしまった。その結果、ＵＶインク使用のインクジェットプリンタ自体も、大きな占有空間を必要とする大型のものになってしまった。
また、そのＵＶ照射手段に用いられた紫外線発光体の高圧水銀灯やメタルハライドランプは、大電力を消費すると共に、公害の元凶となるオゾンを発生させた。
さらに、そのＵＶ照射手段の紫外線発光体に用いられた高圧水銀灯やメタルハライドランプは、それが完全点灯するまでに１５分以上等の待ち時間を必要とした。そのために、ＵＶインク使用の上記プリンタの使用時においては、そのＵＶ照射手段の紫外線発光体に用いられた高圧水銀灯やメタルハライドランプを常時点灯させ続けなければならなかった。それと共に、ＵＶインク使用の上記プリンタに備えられた高圧水銀灯やメタルハライドランプが内蔵されたＵＶ照射手段には、その高圧水銀灯やメタルハライドランプの周囲を覆うカバー、該カバーの開口部を開閉するシャッタ及び該シャッタの開閉手段を設けなければならなかった。そして、そのシャッタでカバーの開口部を開閉することにより、ＵＶ照射手段から紫外線をＵＶ照射手段外方に照射させたり、ＵＶ照射手段から紫外線をＵＶ照射手段外方に照射させるのを停止したりしなければならなかった。そのために、ＵＶインク使用の上記プリンタにおいては、ＵＶ照射手段にカバー、該カバーの開口部を開閉するシャッタ及び該シャッタの開閉手段を設けた分、そのＵＶ照射手段が大型で重量のあるものになってしまった。その結果、そのＵＶ照射手段がインクジェットヘッドと一体にプラテン上に搭載されたプリントメディア上方をＸ−Ｙ方向に相対的に移動させるものであると、そのインクジェットヘッドの移動手段が、大型で大量の電力を消費するものになってしまった。同様に、そのＵＶ照射手段がインクジェットヘッドと別体にプラテン上に搭載されたプリントメディア上方をＸ−Ｙ方向に相対的に移動させるものであると、そのＵＶ照射手段の移動手段が、大型で大量の電力を消費するものになってしまった。
【０００４】
本発明は、このような課題を解消可能な、ＵＶ照射手段が備えられた、ＵＶ使用のインクジェットプリンタ（以下、単にインクジェットプリンタという）を提供することを目的としている。
【０００５】
【課題を解決するための手段】
このような目的を達成するために、本発明のインクジェットプリンタは、
プラテン上に搭載されたプリントメディアの上方をプラテン表面とほぼ平行なＸ−Ｙ方向に相対的に移動させるインクジェットヘッドから噴射されて、そのプラテン上に搭載されたプリントメディア表面に着弾したＵＶインク滴に紫外線を照射するＵＶ照射手段に、ＵＶＬＥＤ（Ｕｌｔｒａ  Ｖｉｏｌｅｔ  ＬｉｇｈｔＥｍｉｔｔｉｎｇ  Ｄｉｏｄｅ；紫外線発光素子の略）又はＵＶＬＥＤのアレイユニット（ＵＶＬＥＤが複数個並ぶもの）が用いられたことを特徴としている。
【０００６】
ＵＶＬＥＤは、近時、日亜化学工業株式会社が開発したハイパワー紫外線発光素子で、その点灯時の消費電力が、前述の高圧水銀灯やメタルハライドランプに比べて、約２０分の一と、極めて少ない。また、前述の高圧水銀灯やメタルハライドランプに比べて、大幅に小型、軽量である。さらに、前述の高圧水銀灯やメタルハライドランプは、その点灯時に、オゾンを発生させるが、ＵＶＬＥＤは、その点灯時においても、公害の元凶となるオゾンを発生させることがない。加えて、ＵＶＬＥＤは、それに投入する電流量を増減制御することにより、待ち時間なく即時に繰り返し点灯させたり消灯させたりできる。
そのために、そのＵＶＬＥＤ又はＵＶＬＥＤのアレイユニットがＵＶ照射手段の紫外線発光体に用いられた、本発明のＵＶインク使用のインクジェットプリンタにおいては、そのＵＶ照射手段の紫外線発光体の消費電力を少なく抑えた、省エネルギタイプのインクジェットプリンタを提供可能となる。また、そのＵＶ照射手段を、大幅に小型軽量化できる。そして、そのＵＶ照射手段が備えられたインクジェットプリンタを小型化して、その占有空間を縮小できる。また、インクジェットプリンタが、ＵＶ照射手段をインクジェットヘッドと一体にプラテン上に搭載されたプリントメディア上方をＸ−Ｙ方向に相対的に移動させるものである場合には、そのＵＶ照射手段と一体に移動させるインクジェットヘッドの移動手段を、消費電力の少ない小型のものとすることができる。同様に、インクジェットプリンタが、ＵＶ照射手段をインクジェットヘッドと別体にプラテン上に搭載されたプリントメディア上方をＸ−Ｙ方向に相対的に移動させるものである場合には、そのＵＶ照射手段の移動手段を、消費電力の少ない小型のものとすることができる。さらに、ＵＶ照射手段のＵＶＬＥＤ又はＵＶＬＥＤのアレイユニットを点灯させた際に、そのＵＶ照射手段から公害の元凶となるオゾンが発生するのを、防ぐことができる。そして、オゾンの発生しない無公害化されたＵＶインク使用のインクジェットプリンタを提供可能となる。加えて、ＵＶ照射手段のＵＶＬＥＤ又はＵＶＬＥＤのアレイユニットに投入する電流量を増減制御して、そのＵＶＬＥＤ又はＵＶＬＥＤのアレイユニットを待ち時間なく即時に繰り返し点灯させたり消灯させたりできる。その結果、ＵＶ照射手段から紫外線をＵＶ照射手段外方に照射させたり、ＵＶ照射手段から紫外線をＵＶ照射手段外方に照射させるのを停止したりするための、カバー、該カバーの開口部を開閉するシャッタ及び該シャッタの開閉手段を、ＵＶ照射手段に設ける必要を、なくすことができる。そして、ＵＶ照射手段にカバー、該カバーの開口部を開閉するシャッタ及び該シャッタの開閉手段を設けない分、そのＵＶ照射手段を小型軽量化、簡易化できる。
【０００７】
本発明のインクジェットプリンタにおいては、前記ＵＶＬＥＤ又はＵＶＬＥＤのアレイユニットからなるＵＶ照射手段が、インクジェットヘッドと一体に、プラテン上に搭載されたプリントメディア上方をＸ−Ｙ方向に相対的に移動するように構成すると良い。
その場合には、インクジェットヘッドの移動手段を用いて、ＵＶＬＥＤ又はＵＶＬＥＤのアレイユニットからなるＵＶ照射手段を、インクジェットヘッドと一体に、プラテン上に搭載されたプリントメディア上方をＸ−Ｙ方向に相対的に移動させることができる。そして、ＵＶ照射手段の移動手段を、インクジェットヘッドの移動手段とは別に備える必要をなくすことができる。
【０００８】
本発明のインクジェットプリンタにおいては、前記ＵＶＬＥＤ又はＵＶＬＥＤのアレイユニットからなるＵＶ照射手段が、インクジェットヘッドとは別体に、プラテン上に搭載されたプリントメディア上方をＸ−Ｙ方向に相対的に移動するように構成することも、可能である。
その場合には、インクジェットヘッドの移動手段を用いて、ＵＶＬＥＤ又はＵＶＬＥＤのアレイユニットからなるＵＶ照射手段をインクジェットヘッドと一体に移動させない分、そのインクジェットヘッドの移動手段を小型化できる。それと共に、インクジェットヘッドを移動させた際に、そのインクジェットヘッドからインクジェットヘッドの移動手段に加わる負荷を、そのインクジェットヘッドと一体にＵＶＬＥＤ又はＵＶＬＥＤのアレイユニットを移動させない分、小さく抑えることができる。そして、インクジェットヘッドを、そのインクジェットヘッドの移動手段を用いて、迅速かつ正確に移動させることが可能となる。
【０００９】
本発明のインクジェットプリンタにおいては、前記ＵＶ照射手段のＵＶＬＥＤ又はＵＶＬＥＤのアレイユニットに投入する電流量を増減制御する制御手段を設けて、その制御手段により、ＵＶＬＥＤ又はＵＶＬＥＤのアレイユニットの紫外線発光のタイミング並びにＵＶＬＥＤ又はＵＶＬＥＤのアレイユニットの紫外線発光強度及び紫外線発光時間が調整されるように構成すると良い。
その場合には、制御手段によりＵＶ照射手段のＵＶＬＥＤ又はＵＶＬＥＤのアレイユニットに投入する電流量を増減させて、そのＵＶＬＥＤ又はＵＶＬＥＤのアレイユニットの紫外線発光のタイミング、そのＵＶＬＥＤ又はＵＶＬＥＤのアレイユニットの紫外線発光強度及び紫外線発光時間を、プリントメディア表面に着弾させるＵＶインク滴のタイミングや数量に合わせて、自在かつ的確に調整することが可能となる。
【００１０】
【発明の実施の形態】
図１ないし図３は本発明のインクジェットプリンタの好適な実施の形態を示し、図１又は図２はその概略構造を示す平面図、図３はそのＵＶＬＥＤのアレイユニットの裏面図である。以下に、このインクジェットプリンタを説明する。
【００１１】
図１又は図２には、プラテン２０上に搭載されたプリントメディア５０の上方をプラテン２０表面とほぼ平行なＸ−Ｙ方向に相対的に移動させるインクジェットヘッド３０から噴射されてプリントメディア５０表面に着弾したＵＶインク滴に紫外線を照射して、そのＵＶインク滴を硬化させ、そのプリントメディア５０表面に複数のＵＶインクのドットの配列からなる絵図又は／及び文字をプリントするインクジェットプリンタが示されている。
これらのプリンタでは、インクジェットヘッド３０をプラテン２０上に搭載されたプリントメディア５０の上方を、プラテン２０上方をＹ方向に横断して架設されたガイドレール８０に沿って、Ｙ（横）方向に移動させたり、プリントメディア５０を、図４に示したような搬送手段９０の送りローラ９２と押えローラ９４との間に挟み込んで、送りローラ９２をＸ方向（図の矢印方向）に回転させることにより、プラテン２０上をＸ（縦）方向に移動させたりして、ＵＶインクを噴射させるインクジェットヘッド３０を、プラテン２０上に搭載されたプリントメディア５０の上方をＸ−Ｙ（縦横）方向に相対的に移動させている。
【００１２】
以上の構成は、既述従来のＵＶインク使用のインクジェットプリンタと同様であるが、図１又は図２に示したインクジェットプリンタでは、プラテン２０上に搭載されたプリントメディア５０の上方をプラテン２０表面とほぼ平行なＸ−Ｙ方向に相対的に移動させるインクジェットヘッド３０下面に並ぶノズル（図示せず）から噴射されて、そのプラテン２０上に搭載されたプリントメディア５０表面に着弾したＵＶインク滴に紫外線を照射するＵＶ照射手段６０に、ＵＶＬＥＤ６２又はＵＶＬＥＤのアレイユニット６４が用いられている。ＵＶＬＥＤのアレイユニット６４は、図３に示したように、ＵＶＬＥＤのアレイユニット６４の移動方向に当たるＹ方向（図の矢印方向）に対して隙間があかないように、ＵＶＬＥＤ６２が縦横に千鳥格子状に並んだ構造をしている。そして、そのＵＶＬＥＤのアレイユニット６４から、該ＵＶＬＥＤのアレイユニットが辿る移動幅分の範囲の紫外線を隙間をあけずに万遍なく照射できる構造をしている。
【００１３】
そのうち、図１に示したインクジェットプリンタでは、そのＵＶＬＥＤ６２又はＵＶＬＥＤのアレイユニット６４（図では、ＵＶＬＥＤ６２としている）からなるＵＶ照射手段６０が、インクジェットヘッド３０と一体にプラテン２０上に搭載されたプリントメディア５０の上方をＸ−Ｙ方向に相対的に移動する構造をしている。具体的には、そのＵＶＬＥＤ６２又はＵＶＬＥＤのアレイユニット６４からなるＵＶ照射手段６０が、インクジェットヘッド３０の両脇に、インクジェットヘッド３０と一体に固定されていて、それらのＵＶ照射手段６０が、インクジェットヘッド３０と一体になって、プラテン２０上に搭載されたプリントメディア５０の上方をＸ−Ｙ方向に相対的に移動する構造をしている。そして、インクジェットヘッド３０下面に並ぶノズル３２から噴射されてプリントメディア５０表面に着弾したＵＶインク滴であって、Ｙ方向に走行するインクジェットヘッド３０の下方からその左側又は右側に露呈して来るプリントメディア５０表面に着弾しているＵＶインク滴に、インクジェットヘッド３０両脇のＵＶ照射手段６０から紫外線を照射できるように構成されている。この図１に示したインクジェットプリンタのＵＶ照射手段６０を構成するＵＶＬＥＤには、日亜化学工業株式会社製造のハイパワー紫外線発光素子である、ＮＣＣＵ００１Ｅ（商品名）であって、波長が約３８０ｎｍの紫外線を発光させる発光素子が用いられている。
【００１４】
他方、図２に示したインクジェットプリンタでは、そのＵＶＬＥＤ６２又はＵＶＬＥＤのアレイユニット６４（図では、ＵＶＬＥＤのアレイユニット６４としている）からなるＵＶ照射手段６０が、インクジェットヘッド３０とは別体に、プラテン２０上方をＹ方向に横断して架設されたサブガイドレール８２に沿って、プラテン２０上に搭載されたプリントメディア５０の上方を、Ｙ方向に移動する構造をしている。具体的には、そのＵＶＬＥＤ６２又はＵＶＬＥＤのアレイユニット６４（図では、ＵＶＬＥＤのアレイユニット６４としている）からなるＵＶ照射手段６０が、プラテン２０上をＸ方向に搬送されるプリントメディア５０の搬送方向の前部に当たる、インクジェットヘッド３０前方のプラテン２０上方に配置されている。そして、そのＵＶ照射手段６０が、インクジェットヘッド３０とは別体になって、プラテン２０上に搭載されたプリントメディア５０の前部上方をＹ方向に移動する構造をしている。そして、インクジェットヘッド３０下面に並ぶノズル３２から噴射されてプリントメディア５０表面に着弾したＵＶインク滴であって、インクジェットヘッド３０の走行経路下方からプラテン２０上をＸ方向に当たる前方に搬送されて来るプリントメディア５０表面に着弾しているＵＶインク滴に、インクジェットヘッド３０の前方に配置された、Ｙ方向に走行するＵＶ照射手段６０から紫外線を照射できるように構成されている。この図２に示したインクジェットプリンタのＵＶ照射手段６０を構成するＵＶＬＥＤには、日亜化学工業株式会社製造のハイパワー紫外線発光素子である、ＮＣＣＵ０３３Ｅ（商品名）であって、波長が約３６５ｎｍの紫外線を発光させる発光素子が用いられている。
【００１５】
そして、そのＵＶ照射手段６０を構成しているＵＶＬＥＤ６２又は又はＵＶＬＥＤのアレイユニット６４の特性を生かして、そのＵＶ照射手段６０の紫外線発光体の消費電力を少なく抑えた、省エネルギタイプのインクジェットプリンタを提供可能としている。また、そのＵＶ照射手段６０を、大幅に小型軽量化して、そのＵＶ照射手段６０が備えられたインクジェットプリンタを小型化し、その占有空間を縮小可能としている。さらに、ＵＶ照射手段６０のＵＶＬＥＤ６２又はＵＶＬＥＤのアレイユニット６４を点灯させた際に、そのＵＶ照射手段６０から公害の元凶となるオゾンが発生するのを防いで、オゾンの発生のない無公害化されたＵＶインク使用のインクジェットプリンタを提供可能としている。加えて、ＵＶ照射手段６０のＵＶＬＥＤ６２又はＵＶＬＥＤのアレイユニット６４に投入する電流量を増減制御して、そのＵＶＬＥＤ６２又はＵＶＬＥＤのアレイユニット６４を待ち時間なく即時に繰り返し点灯させたり消灯させたり可能としている。そして、ＵＶ照射手段６０にカバー、該カバーの開口部を開閉するシャッタ及び該シャッタの開閉手段を設ける必要をなくして、そのＵＶ照射手段６０を小型軽量化、簡易化を図ることを可能としている。
【００１６】
また、ＵＶＬＥＤ６２又はＵＶＬＥＤのアレイユニット６４からなるＵＶ照射手段６０が、インクジェットヘッド３０と一体に、プラテン２０上に搭載されたプリントメディア５０上方をＸ−Ｙ方向に相対的に移動するように構成された図１に示したインクジェットプリンタにおいては、ＵＶ照射手段６０の移動手段（図示せず）を、インクジェットヘッド３０の移動手段（図示せず）とは別に備える必要をなくすことを可能としている。また、その小型軽量化されたＵＶ照射手段６０と一体に移動させるインクジェットヘッドの移動手段（図示せず）を、消費電力の少ない小型のものとすることを可能としている。
【００１７】
他方、ＵＶＬＥＤ６２又はＵＶＬＥＤのアレイユニット６４からなるＵＶ照射手段６０が、インクジェットヘッド３０とは別体に、プラテン２０上に搭載されたプリントメディア５０上方をＸ−Ｙ方向に相対的に移動するように構成された図２に示したインクジェットプリンタにおいては、インクジェットヘッド３０の移動手段を小型化することを可能としている。それと共に、インクジェットヘッド３０を移動させた際に、そのインクジェットヘッド３０からインクジェットヘッドの移動手段に加わる負荷を、ＵＶ照射手段６０をインクジェットヘッド３０と一体に移動させない分、小さく抑えて、インクジェットヘッド３０を、そのインクジェットヘッドの移動手段を用いて、迅速かつ正確に移動させることを可能としている。また、その小型軽量化されたＵＶ照射手段６０の移動手段（図示せず）を、消費電力の少ない小型のものとすることを可能としている。
【００１８】
図１又は図２に示したインクジェットプリンタにおいては、ＵＶ照射手段６０のＵＶＬＥＤ６２又はＵＶＬＥＤのアレイユニット６４に投入する電流量を増減制御する電子回路等からなる制御手段７０を設けると良い。そして、その制御手段７０により、ＵＶ照射手段６０の紫外線発光体であるＵＶＬＥＤ６２又はＵＶＬＥＤのアレイユニット６４の紫外線発光のタイミング並びにＵＶＬＥＤ６２又はＵＶＬＥＤのアレイユニット６４の紫外線発光強度及び紫外線発光時間を調整可能な構成とすると良い。
その場合には、制御手段７０によりＵＶ照射手段６０のＵＶＬＥＤ６２又はＵＶＬＥＤのアレイユニット６４に投入する電流量を増減させて、そのＵＶＬＥＤ６２又はＵＶＬＥＤのアレイユニット６４の紫外線発光のタイミング、そのＵＶＬＥＤ６２又はＵＶＬＥＤのアレイユニット６４の紫外線発光強度及び紫外線発光時間を、プリントメディア５０表面に着弾させるＵＶインク滴のタイミングや数量に合わせて、自在かつ的確に調整することが可能となる。
【００１９】
本発明のインクジェットプリンタは、フラットな広いベッド状のプラテン上にプリントメディアを動かぬように固定した状態で搭載して、そのプラテン上に搭載されたプリントメディア上方を、ＵＶインクを噴射させるインクジェットヘッドをＸ−Ｙ方向に移動させる、フラットベッドタイプのインクジェットプリンタにも、利用可能である。
【００２０】
本発明に用いられるＵＶＬＥＤは、ＵＶインクを硬化させる目的に合致する限り、多くの変化が可能であり、例えばＵＶＬＥＤのアレイユニットをメディアの幅だけ並べ、その下方をメディアを移動させることにより、ＵＶＬＥＤのアレイユニットは固定することもできる。また、カード等のプリンティング時にはＵＶＬＥＤのアレイユニットをカードサイズに合わせることにより、該ＵＶＬＥＤのアレイユニットを用いて一次にＵＶインクを硬化させることもできる。
【００２１】
本発明に用いられるＵＶＬＥＤにおいて、その発光波長は、ＵＶインクを実効的に硬化させることができれば良く、特定の波長に限定されるものではないが、室内光の影響を避ける目的には４１０ｎｍ以下の発光波長のＵＶＬＥＤが適している。
【００２２】
【発明の効果】
以上説明したように、本発明のインクジェットプリンタによれば、そのＵＶ照射手段の電力消費エネルギを大幅に抑えたり、そのＵＶ照射手段の小型軽量化を図ったり、そのＵＶ照射手段の点灯時における公害の元凶となるオゾン発生を無くしたり、そのＵＶ照射手段からカバーや該カバーの開口部を開閉するシャッタや該シャッタの開閉手段を排除して、そのＵＶ照射手段の小型軽量化及び簡易化を図ったり可能となる。
【図面の簡単な説明】
【図１】本発明のインクジェットプリンタの概略構造を示す平面図である。
【図２】本発明のインクジェットプリンタの概略構造を示す平面図である。
【図３】ＵＶＬＥＤのアレイユニットの裏面図である。
【図４】インクジェットプリンタの概略構造を示す断面図である。
【符号の説明】
２０  プラテン
３０  インクジェットヘッド
５０  プリントメディア
６０  ＵＶ照射手段
６２  ＵＶＬＥＤ
６４  ＵＶＬＥＤのアレイユニット
７０  制御手段
８０  ガイドレール
８２  サブガイドレール
９０  搬送手段
【図１】
2004358769.tif 000003
【図２】
2004358769.tif 000004
【図３】
2004358769.tif 000005
【図４】
2004358769.tif 000006